(57)【要約】【課題】  外部に接続された通信端末のフック情報を、利用者の環境如何に関わらず適正に検知する新規な手段を提供する。【解決手段】  公衆電話回線と並列に接続された回線電圧抽出用ダイオードブリッジ1と、ダイオードブリッジ1で抽出された回線電圧を第1および第2の検出電圧と比較する上限および下限電圧検出回路3,4と、上限および下限電圧検出回路3,4による比較結果を受けて通信端末のフック情報を検出する機能と、上限および下限電圧検出回路3,4による比較結果が異なる場合、上限および下限電圧検出回路3,4による比較結果が一致するように第1および第2の検出電圧を補正する機能と、上限および下限電圧検出回路3,4による比較結果が一致しているときの比較結果情報を次回のフック情報判定のために記憶部6に上書きする機能を有する制御部5を備える。【選択図】      図１
2006295331.tif 000002
【特許請求の範囲】
【請求項１】
公衆電話回線を介して通信を行う第１の通信端末と、該第１の通信端末に設けられた外部接続端子を介して前記第１の通信端末と並列に前記公衆電話回線に接続された第２の通信端末を有する通信端末装置において、
前記公衆電話回線と並列に接続された回線電圧抽出回路と、該回線電圧抽出回路により抽出された前記回線電圧を第１および第２の検出電圧と比較する第１および第２の電圧検出回路と、前記第１および第２の電圧検出回路における比較結果により前記第２の通信端末のフック情報を検出するフック情報検出手段と、前記第１および第２の電圧検出回路における比較結果に応じて前記第１およびまたは第２の検出電圧を補正する検出電圧補正手段とを有していることを特徴とする通信端末装置。
【請求項２】
前記フック情報検出手段は、前記第１および第２の電圧検出回路における以前の比較結果を格納する記憶部と、前記第１および第２の電圧検出回路における新比較結果を前記記憶部に格納されている以前の比較結果と比較し、不一致が生じたときにオンフックからオフフックまたはオフフックからオンフックに切り替わったことを検出するとともに、前記新比較結果により前記記憶部を上書きする機能を有していることを特徴とする請求項１に記載の通信端末装置。
【請求項３】
前記第１の検出電圧は前記第２の検出電圧よりも高い電圧に設定されており、前記検出電圧補正手段は、初期設定時に、前記第１の電圧検出回路から前記回線電圧が前記第１の検出電圧よりも低いことを示す論理（Ｌ）出力が発生され、前記第２の電圧検出回路から前記回線電圧が前記第２の検出電圧よりも高いことを示す論理（Ｈ）出力が発生されているとき、前記第１の検出電圧を所定レベル下げる動作およびまたは前記第２の検出電圧を所定レベル上げる動作を、前記第１及び第２の電圧検出回路の前記論理出力が（Ｌ，Ｌ）または（Ｈ，Ｈ）となるまで繰り返し、前記論理出力が（Ｌ，Ｌ）または（Ｈ，Ｈ）となった時点における前記第１及び第２の検出電圧を、補正検出電圧として設定する機能を有しており、前記フック情報検出手段は、前記補正検出電圧が設定された時点の前記論理出力を前記記憶部に上書きする機能を有していることを特徴とする請求項１または２に記載の通信端末装置。
【請求項４】
前記記憶部に格納されている前記論理値が（Ｈ，Ｈ）のときに前記第１及び第２の電圧検出回路の前記論理出力として（Ｌ，Ｈ）が検出されたとき、前記検出電圧補正手段は、前記第２の検出電圧を所定レベル上げる動作を、前記第１及び第２の電圧検出回路の前記論理出力が（Ｌ，Ｌ）または（Ｈ，Ｈ）となるまで繰り返し、前記論理出力が（Ｌ，Ｌ）または（Ｈ，Ｈ）となった時点における前記第２の検出電圧を、補正検出電圧として設定する機能を有し、前記フック情報検出手段は、前記第２の通信端末がオフフック状態に遷移したと判定する機能と、前記補正検出電圧が設定された時点の前記論理出力を前記記憶部に上書きする機能を有していることを特徴とする請求項３に記載の通信端末装置。
【請求項５】
前記記憶部に格納されている前記論理値が（Ｌ，Ｌ）のときに前記第１及び第２の電圧検出回路の前記論理出力として（Ｌ，Ｈ）が検出されたとき、前記検出電圧補正手段は、前記第１の検出電圧を所定レベル下げる動作を、前記第１及び第２の電圧検出回路の前記論理出力が（Ｌ，Ｌ）または（Ｈ，Ｈ）となるまで繰り返し、前記論理出力が（Ｌ，Ｌ）または（Ｈ，Ｈ）となった時点における前記第１の検出電圧を、補正検出電圧として設定する機能を有し、前記フック情報検出手段は、前記第２の通信端末がオフフック状態に遷移したと判定する機能と、前記補正検出電圧が設定された時点の前記論理出力を前記記憶部に上書きする機能を有していることを特徴とする請求項３に記載の通信端末装置。
【請求項６】
前記フック情報検出手段は、前記論理出力が（Ｌ，Ｌ）のときに「電話機使用中」を表示し、前記論理出力が（Ｈ，Ｈ）のときに「電話機使用中」表示を解除する機能を有していることを特徴とする請求項３〜５に記載の通信端末装置。
【発明の詳細な説明】
【技術分野】
【０００１】
本発明は、装置の外部に電話機等の通信端末を並列に接続して使用することが可能なファクシミリ装置等の通信端末装置に関する。
【背景技術】
【０００２】
一般にファクシミリ装置等の通信端末装置においては、該装置に用意された外部電話機用端子に電話機を接続し、同一の公衆電話回線を用いてファクシミリ以外のサービス（通話）を利用することが可能となっている。また、ファクシミリ装置の外部に接続された電話機を利用している間は、回線がファクシミリ以外の目的で使用中であることを利用者に通知すると共に、ファクシミリ動作が誤って実行されないよう動作を制限する必要がある。
【０００３】
そのためファクシミリ装置は、外部に接続された電話機等のフック状態を監視しており、フックを上げた（オフフック）状態を検知すると前述した通知、あるいはファクシミリ動作の制限を行うようにしている。フック状態の検出手段については、フックを上げた際に回線に発生する電流の変化を検出する電流検出方式と、フックを上げた際に回線に発生する電圧の変化を検出する電圧検出方式の二種類がある。
【０００４】
ファクシミリ装置の外部に接続された電話機のフック状態を検知するにあたり、前述した電流検出方式を用いた場合、回線に直列に挿入された電流検出回路が通信端末に電圧降下を与え、端末によっては適正に動作しなくなるような問題がある。一方、電圧検出方式を用いた場合には電圧降下の影響がないものの、構内交換機（ＰＢＸ）で通常より低い回線電圧を使用して運用している場合や、接続された通信端末が比較的高い抵抗値を有している場合など、利用者の環境によってはフック状態を適正に検知できないような問題がある。
【０００５】
このような問題を解消する方法として、例えば特許文献１は、オンフックからオフフックへの過渡的な電圧変化を検出することによりオンフックとオフフックを判定することにより、負荷側の条件によらず確実にオンフックとオフフックを検出できるように構成したリングトリップ判定方法が記載されている。
【０００６】
また、特許文献２では、閉結、非閉結時における電話回線の回線電圧を計測して、これらの平均値をメモリに記憶し、電話回線に並列に接続された回線電圧検出回路が上記閉結、非閉結時の各々の平均値より、予め設定した第１の基準範囲、第２の基準範囲を越えた電圧レベルの変化を検出したときに、ブランチ電話機のオフフックを判別する構成とすることにより、国や地域、使用状態によって回線電圧が異なっても、回線電圧の基準判別レベルを回線電圧に応じて手動で設定する必要なく、ブランチ電話機、付属電話機、外付け電話機のオフフックを検出可能にする技術が記載されている。
【０００７】
【特許文献１】特開平６−１２１０３８号公報
【特許文献２】特開平８−２５１２７９号公報
【発明の開示】
【発明が解決しようとする課題】
【０００８】
特許文献１に記載された発明においては、リングトリップ検出抵抗の電流変化を検出することによりリングトリップを判定するので，検出部の出力する交流成分の電圧の大小によらずリングトリップを判定できるが、それを実現するための構成はきわめて複雑である。
【０００９】
また特許文献２に記載された発明の場合、閉結、非閉結時における電話回線の回線電圧を計測して、これらの平均値をメモリに記憶しておく必要があり、それを実現するための構成は同様に複雑なものとなる。
【００１０】
本発明の目的は、ファクシミリ装置等の外部に接続された通信端末のフック状態を電圧検出方式で検知するにあたり、比較的簡単な構成で、利用者の環境に応じた適切なフック状態の検出を適正に行うことを可能にする、新規なフック状態検出手段を提供することにある。
【課題を解決するための手段】
【００１１】
本発明は、公衆電話回線を介して通信を行う第１の通信端末と、該第１の通信端末に設けられた外部接続端子を介して前記第１の通信端末と並列に前記公衆電話回線に接続された第２の通信端末を有する通信端末装置において、前記公衆電話回線と並列に接続された回線電圧抽出回路と、該回線電圧抽出回路により抽出された前記回線電圧を第１および第２の検出電圧と比較する第１および第２の電圧検出回路と、前記第１および第２の電圧検出回路における比較結果により前記第２の通信端末のフック情報を検出するフック情報検出手段と、前記第１および第２の電圧検出回路における比較結果に応じて前記第１およびまたは第２の検出電圧を補正する検出電圧補正手段とを有していることを特徴とする。
【００１２】
前記フック情報検出手段は、前記第１および第２の電圧検出回路における以前の比較結果を格納する記憶部と、前記第１および第２の電圧検出回路における新比較結果を前記記憶部に格納されている以前の比較結果と比較し、不一致が生じたときにオンフックからオフフックまたはオフフックからオンフックに切り替わったことを検出するとともに、前記新比較結果により前記記憶部を上書きする機能を有していることを特徴とする。
【００１３】
前記第１の検出電圧は前記第２の検出電圧よりも高い電圧に設定されており、前記検出電圧補正手段は、初期設定時に、前記第１の電圧検出回路から前記回線電圧が前記第１の検出電圧よりも低いことを示す論理（Ｌ）出力が発生され、前記第２の電圧検出回路から前記回線電圧が前記第２の検出電圧よりも高いことを示す論理（Ｈ）出力が発生されているとき、前記第１の検出電圧を所定レベル下げる動作およびまたは前記第２の検出電圧を所定レベル上げる動作を、前記第１及び第２の電圧検出回路の前記論理出力が（Ｌ，Ｌ）または（Ｈ，Ｈ）となるまで繰り返し、前記論理出力が（Ｌ，Ｌ）または（Ｈ，Ｈ）となった時点における前記第１及び第２の検出電圧を、補正検出電圧として設定する機能を有しており、前記フック情報検出手段は、前記補正検出電圧が設定された時点の前記論理出力を前記記憶部に上書きする機能を有していることを特徴とする。
【００１４】
また、前記記憶部に格納されている前記論理値が（Ｈ，Ｈ）のときに前記第１及び第２の電圧検出回路の前記論理出力として（Ｌ，Ｈ）が検出されたとき、前記検出電圧補正手段は、前記第２の検出電圧を所定レベル上げる動作を、前記第１及び第２の電圧検出回路の前記論理出力が（Ｌ，Ｌ）または（Ｈ，Ｈ）となるまで繰り返し、前記論理出力が（Ｌ，Ｌ）または（Ｈ，Ｈ）となった時点における前記第２の検出電圧を、補正検出電圧として設定する機能を有し、前記フック情報検出手段は、前記第２の通信端末がオフフック状態に遷移したと判定する機能と、前記補正検出電圧が設定された時点の前記論理出力を前記記憶部に上書きする機能を有していることを特徴とする。
【００１５】
さらに、前記記憶部に格納されている前記論理値が（Ｌ，Ｌ）のときに前記第１及び第２の電圧検出回路の前記論理出力として（Ｌ，Ｈ）が検出されたとき、前記検出電圧補正手段は、前記第１の検出電圧を所定レベル下げる動作を、前記第１及び第２の電圧検出回路の前記論理出力が（Ｌ，Ｌ）または（Ｈ，Ｈ）となるまで繰り返し、前記論理出力が（Ｌ，Ｌ）または（Ｈ，Ｈ）となった時点における前記第１の検出電圧を、補正検出電圧として設定する機能を有し、前記フック情報検出手段は、前記第２の通信端末がオフフック状態に遷移したと判定する機能と、前記補正検出電圧が設定された時点の前記論理出力を前記記憶部に上書きする機能を有していることを特徴とする。
【発明の効果】
【００１６】
本発明によれば、装置の外部に接続された通信端末のフック状態を電圧検出方式にて検知するにあたり、装置が検出電圧を自動的に補正する手段を備えているので、利用者の環境に応じてフック状態を適切に検知することができる。
【発明を実施するための最良の形態】
【００１７】
次に、本発明の実施の形態について図面を参照して詳細に説明する。図１は、本発明の実施形態を示すブロック図であり、ファクシミリ装置の外部に接続された電話機のフック状態を検出する構成を示している。
【００１８】
本実施形態では、装置の外部に接続された通信端末のフック状態を検出し、且つ、検出する電圧値を調整できる２つの電圧検出回路と、ファクシミリ装置を統括制御し、且つ前述した電圧検出回路を用いて外部に接続された通信端末のフック状態を検出し、且つ、フック状態を検出するための検出電圧の調整を行うＣＰＵ（中央演算処理装置）で構成された制御部と、検出したフック状態を記憶するための記憶部と、外部に接続された通信端末のフック状態を利用者に通知するための表示部を備えている。
【００１９】
即ち図１において、ダイオードブリッジ１は、端子Ｌ１，Ｌ２に入力される公衆電話回線上の直流電圧を抽出するにあたり、回線上の直流の極性が反転しているか否かに関わらず常に一定の極性を後述する電圧検出回路へ供給するものである。絶縁部２は、公衆電話回線上に発生しうる危険電圧に対し、装置や利用者を保護するもので、一定の絶縁機能を有する回路で構成される。
【００２０】
上限電圧検出回路３および下限電圧検出回路４は、回線上の直流電圧を検出し、装置の外部接続端子Ｔ１，Ｔ２に接続された電話機等の通信端末のフック状態を後述する制御部５へ通知する機能を有する。またこの２つの電圧検出回路３，４は、制御部５から出力される制御信号により、検出電圧（比較のための基準電圧）を調整することが可能となっている。
【００２１】
これらの電圧検出回路３，４は、公衆電話回線（以下、回線）から抽出した直流電圧（回線電圧）が検出電圧より高い場合（装置の外部に接続された通信端末がオンフック状態になっている）は、検出信号“１”を、回線から抽出した直流電圧が検出電圧より低い場合（装置の外部に接続された通信端末がオフフック状態になっている）は、検出信号“０”を出力する。
【００２２】
制御部５はＣＰＵ（中央演算処理装置）で構成され、本ファクシミリ装置の統括制御を行うと共に、前述した上限電圧検出回路３および下限電圧検出回路４の検出電圧の設定を行い、これらの電圧検出回路３，４から出力される検出信号の監視を行う。
【００２３】
また制御部５は、装置の外部に接続された通信端末のフック状態を検出するにあたり、上限電圧検出回路３はやや高めの検出電圧で、下限電圧検出回路４はやや低めの検出電圧でフック状態を検知するよう、２つの電圧検出回路の検出電圧をあらかじめ設定している。
【００２４】
記憶部６は読み書き可能なメモリで構成され、前述した制御部５が外部に接続された通信端末のフック状態の変化を検出するために、前述した２つの電圧検出回路３，４の検出信号および検出電圧（基準電圧）を記憶するためのものである。表示部７は液晶表示器などで構成され、装置の外部に接続された通信端末のフック状態を利用者に通知するためのものである。
【００２５】
網制御部８は、本ファクシミリ装置がファクシミリ通信を行う際に、公衆電話回線と後述するモデム部９を接続するためのものである。モデム部９は、ファクシミリ通信を行うために手順信号を送信または受信すると共に、ファクシミリ画信号の符号化、複合化を行うものである。
【００２６】
図２は、前述した上限電圧検出回路３および下限電圧検出回路４について、本発明のファクシミリ装置の外部に接続された通信端末のフック状態を検出する電圧検出回路の構成の実施例を示すブロック図である。
【００２７】
回線電圧抽出部１０は、オペアンプと周辺回路による増幅器で構成され、公衆電話回線の直流電圧を抽出するためのものである。検出電圧制御部１１は、装置の外部に接続された通信端末のフック状態を検出するための基準となる検出電圧（基準電圧）を生成するものである。この基準検出電圧は、制御部５からの操作により複数の設定値を選択するよう構成されており、利用者の環境に応じフック状態の検出電圧のしきい値を調整することが可能となっている。
【００２８】
検出信号生成部１２は、コンパレータと周辺回路による比較器で構成され、回線から抽出した直流電圧と検出電圧の比較を行い、比較した結果を検出信号として制御部５へ出力する。実施例として、回線電圧が検出電圧より高い場合（オンフック状態）は“１”の検出信号を、回線電圧が検出電圧より低い場合（オフフック状態）は“０”の検出信号を出力する。
【００２９】
図３は、本発明のファクシミリ装置の外部に接続された通信端末のフック状態の変化による回線電圧の変化と、上限電圧検出回路３および下限電圧検出回路４が出力する検出信号の論理値として、考えられ得る状態遷移を示している。
【００３０】
図３（ａ）は、利用者が運用する環境と、装置があらかじめ設定している検出電圧の範囲とが一致している場合（正常な場合）を示しており、（上限，下限）として示す上限電圧検出回路３と下限電圧検出回路４の各論理値は、オンフック状態で（１，１）、オフフック状態で（０，０）となる。
【００３１】
一方、外部に接続された通信端末のオフフック状態における抵抗値が高い場合には、オフフック状態での回線電圧が下限電圧検出回路で設定されている検出電圧より高くなることがある。この場合、（上限，下限）として示す上限電圧検出回路３と下限電圧検出回路４の各論理値は、図３（ｂ）に示すように、オンフック状態で（１，１）、オフフック状態で（０，１）となる。
【００３２】
また、利用者が構内交換機（ＰＢＸ）を使用しているなど、通常より低い回線電圧を使用して運用している理由から、オンフック状態の回線電圧が上限電圧検出回路で設定されている検出電圧より低くなることがある。この場合、（上限，下限）として示す上限電圧検出回路３と下限電圧検出回路４の各論理値は、図３（ｃ）に示すように、オンフック状態で（０，１）、オフフック状態で（０，０）となる。
【００３３】
また、初期の検出電圧（基準電圧）の設定値が不適切な場合に起こり得るケースとして、図３（ｄ）〜図３（ｆ）に示すように、（上限，下限）として示す上限電圧検出回路３と下限電圧検出回路４の各論理値が、オンフック状態とオフフック状態で変化しない状況も一応考えられる。
【００３４】
しかし通常、オンフック状態およびオフフック状態における回線電圧は、利用される環境からそれぞれの電圧がとり得る範囲はある程度予測できるので、図３（ｄ）〜図３（ｅ）に示す状態のように、上限検出電圧と下限検出電圧の両方が、オンフック状態およびオフフック状態の回線電圧の範囲よりも下側あるいは上側に初期設定されるような状況は考慮する必要はないが、図３（ｆ）に示す状態のように、上限検出電圧がオンフック状態の回線電圧よりも上側に初期設定され、下限検出電圧がオフフック状態の回線電圧よりも下側に初期設定される状況は一応考慮する必要がある。
【００３５】
図３（ｆ）に示す状態では、オンフック状態およびオフフック状態の如何に関わらず、（上限，下限）として示す論理値は（０，１）となるので、初期設定時に論理値が（０，１）を示している場合には、上限検出電圧と下限検出電圧の両方あるいは少なくとも一方が、適切な基準電圧に設定されていないことになる。
【００３６】
図４は、初期設定時に論理値が（０，１）を示している場合において、まず、上限検出電圧と下限検出電圧のうちの少なくとも一方を適切な基準電圧に設定する動作を示すフローチャートである。
【００３７】
図５は、図４に示すフローチャートにより上限検出電圧と下限検出電圧のうちの少なくとも一方が適切な基準電圧に設定されたファクシミリ装置について、外部に接続された通信端末のフック状態を利用者へ通知すると共に、利用者の環境で適切なフック状態が検出されなかった場合は電圧検出回路の検出状態を補正する動作を示すフローチャートである。
【００３８】
以下、図１〜図５を参照して、本実施形態の動作について説明する。
【００３９】
図１に示す本発明のファクシミリ装置の制御部５は、上限電圧検出回路３と下限電圧検出回路４について、上限の検出電圧が下限の検出電圧より高くなるよう、あらかじめ各々の電圧検出回路の検出電圧を設定する。そして、上限電圧検出回路３と下限電圧検出回路４の出力を監視し、（上限，下限）の論理値が（０，１）か否かを判定する（Ｓ４１）。
【００４０】
（上限，下限）の論理値が（０，０）または（１，１）であればＳ５１へ移る。なお（上限，下限）の論理値が（１，０）となる状況は原理的に生じない。（上限，下限）の論理値が（０，１）であれば、下限の検出電圧を１段上げ（Ｓ４２）、（上限，下限）の論理値が（０，０）となるか否かを判定する（Ｓ４３）。（上限，下限）の論理値が（０，０）となった（Ｓ４３、ＹＥＳ）ときＳ５１へ移る。
【００４１】
（上限，下限）の論理値が（０，１）のまま（Ｓ４３、ＮＯ）であれば、上限の検出電圧を１段下げ（Ｓ４４）、（上限，下限）の論理値が（１，１）となるか否かを判定する（Ｓ４５）。（上限，下限）の論理値が（１，１）となった（Ｓ４５、ＹＥＳ）ときＳ５１へ移る。（上限，下限）の論理値が（０，１）のまま（Ｓ４５、ＮＯ）であれば、Ｓ４２以降の動作を繰り返す。
【００４２】
外部接続端末に接続されている電話機がオンフックの状態のときには、この繰り返し動作の途中で、（上限，下限）の論理値が（０，０）に変化するので、少なくとも上限の検出電圧は適正値に補正されたことになり、一方外部接続端末に接続されている電話機がオフフックの状態のときには、この繰り返し動作の途中で、（上限，下限）の論理値が（１，１）に変化するので、少なくとも下限の検出電圧は適正値に補正されたことになる。制御部５は、この少なくとも一方が補正された上限検出電圧と下限検出電圧を、仮の検出電圧として上限電圧検出回路３と下限電圧検出回路４に設定する。
【００４３】
なお図４のフローチャートでは、下限の検出電圧を１段上げる動作と、上限の検出電圧を１段下げる動作を交互に行っているが、下限の検出電圧を１段上げる動作と上限の検出電圧を１段下げる動作を同時に行い、（上限，下限）の論理値が（０，０）または（１，１）に変化した時点でＳ５１へ移行するようにしてもよい。
【００４４】
そして上記動作により変化した、上限電圧検出回路３と下限電圧検出回路４から出力される検出信号の各論理値（上限，下限）である（０，０）または（１，１）を記憶部６に格納する（Ｓ５１）。その後、制御部５は、各々の電圧検出回路から出力される検出信号を定期的に監視する（Ｓ５２）。制御部５は検出信号の論理の変化を検出する（Ｓ５２，ＹＥＳ）と、記憶部６に格納されている検出信号の各論理値と、今回変化した検出信号の各論理値との比較を行う。
【００４５】
検出信号の各論理値（上限，下限）の変化が、（１，１）から（０，０）への変化（Ｓ５３，ＹＥＳ）であった場合、制御部５は外部に接続された通信端末がオンフック状態からオフフック状態へ移行したものと判断し、外部に接続された通信端末が使用中であることを示す「電話機使用中」といった表示を表示部７に対して実行する（Ｓ５４）。その後制御部５は、今回新たに変化した検出信号の各論理値（０，０）を記憶部６に上書きして格納する（Ｓ５５）。
【００４６】
検出信号の各論理値（上限，下限）の変化が、（０，０）から（１，１）への変化（Ｓ５６，ＹＥＳ）であった場合、制御部５は、外部に接続された通信端末がオフフック状態からオンフック状態へ移行したものと判断し、「電話機使用中」の表示を取り消すかもしくは行わないよう、表示部７に対して実行する（Ｓ５７）。その後制御部５は今回新たに変化した検出信号の各論理値（１，１）を記憶部６に上書きして格納する（Ｓ５８）。
【００４７】
一方、検出信号の各論理値（上限，下限）の変化が、（１，１）から（０，１）への変化（Ｓ５９，ＹＥＳ）であった場合、制御部５は外部に接続された通信端末がオンフック状態からオフフック状態へ移行したものの、通信端末の抵抗値が高い理由等からオフフック状態の回線電圧が下限電圧検出回路４の検出電圧よりも高くなってしまっていると判断する。
【００４８】
このとき、制御部５は下限電圧検出回路４の検出電圧を１段上げる処理を行い（Ｓ６０）、今一度、記憶部６に格納されている検出信号の各論理値と、電圧検出回路から出力される検出信号の各論理値との比較を行う。制御部５はこれら一連の動作を、（上限，下限）の検出信号が（０，０）か、もしくは（１，１）へ遷移するまで繰り返し実行する。
【００４９】
（上限，下限）の検出信号が（０，０）へ遷移したことを検出すると（Ｓ５３，ＹＥＳ）、制御部５は下限電圧検出回路４が適正な検出電圧に補正されたと判断し、以後、この補正された検出電圧を基準電圧として下限電圧検出回路４に設定する。そして「電話機使用中」を表示し（Ｓ５４）、適正化されたオフフック状態の各論理値（０，０）を記憶部６に上書きして格納する（Ｓ５５）。
【００５０】
制御部５が下限電圧検出回路４の検出電圧を１段上げる処理を繰り返し実行中に、（上限，下限）の検出信号が（１，１）へ戻ってしまったことを検出したとき（Ｓ５６）には、制御部５は外部に接続された通信端末がオンフック状態へ移行したと判断し、「電話機使用中」の表示を行わないよう、表示部７に対して実行する（Ｓ５７）と共にオンフック状態の各論理値（１，１）を記憶部６に上書きして格納する（Ｓ５８）。そして、最後に設定した電圧をそのまま仮の検出電圧として下限電圧検出回路４に設定する。
【００５１】
検出信号の各論理値（上限，下限）の変化が、（０，０）から（０，１）への変化（Ｓ６１，ＹＥＳ）であった場合、制御部５は、外部に接続された通信端末がオフフック状態からオンフック状態へ移行したものの、回線電圧が低い等の理由からオンフック状態の回線電圧が上限電圧検出回路３の検出電圧よりも低くなってしまっていると判断する。
【００５２】
このとき、制御部５は上限電圧検出回路３の検出電圧を１段下げる処理を行い（Ｓ６２）、今一度、記憶部６に格納されている検出信号の各論理値と、電圧検出回路３，４から出力される検出信号の各論理値との比較を行う。制御部５は、これら一連の動作を（上限，下限）の検出信号が（１，１）か、もしくは（０，０）へ遷移するまで繰り返し実行する。
【００５３】
（上限，下限）の検出信号が（１，１）へ遷移したことを検出すると（Ｓ５６，ＹＥＳ）、制御部５は上限電圧検出回路３が適正な検出電圧に補正されたと判断して、以後、この補正された検出電圧を基準電圧として下限電圧検出回路３に設定する。そして、「電話機使用中」の表示を取り消すかもしくは行わないよう、表示部７に対して実行する（Ｓ５７）と共に、オンフック状態の各論理値（１，１）を記憶部６に上書きして格納する（Ｓ５８）。
【００５４】
制御部５が上限電圧検出回路３の検出電圧を１段下げる処理を繰り返し実行中に、（上限，下限）の検出信号が（０，０）へ戻ってしまったことを検出したとき（Ｓ５３）には、制御部５は外部に接続された通信端末がオフフック状態へ移行したと判断し、「電話機使用中」の表示を行うよう、表示部７に対して実行する（Ｓ５４）と共に、オフフック状態の各論理値（０，０）を記憶部６に上書きして格納する（Ｓ５５）。そして、最後に設定した検出電圧をそのまま仮の検出電圧として上限電圧検出回路３に設定する。
【００５５】
なお、比較の結果、検出信号の各論理値（上限，下限）が前述したいずれの場合にも属さない変化を示したことを認識した場合、制御部５は起こりえない状態を抽出した（例えばノイズの発生が見られた）と判断し、電圧検出回路から出力された検出信号の各論理値を無効とし、今一度、検出信号の論理の変化を検出するよう、各々の電圧検出回路から出力される検出信号を定期的に監視する動作に移行する。
【００５６】
以上、前述した一連の動作により、外部に接続された通信端末のフック状態を検出するにあたり、利用者の環境に応じた適切な検出電圧へ補正する動作が確立する。即ち本実施形態では、互いに異なる検出電圧を設定可能な２つの電圧検出回路を設け、該２つの電圧検出回路の出力である２つの論理値の組合せにより、フック情報検出電圧が適切であるか否かを判定して自動的に補正する極めて簡単な構成で、利用者の環境に応じた適切な検出電圧を自動設定することが可能となる。
【図面の簡単な説明】
【００５７】
【図１】本発明のファクシミリ装置の外部に接続された通信端末のフック状態を検出する構成の実施例を示すブロック図である。
【図２】本発明のファクシミリ装置の外部に接続された通信端末のフック状態を検出する電圧検出回路の構成の実施例を示すブロック図である。
【図３】本発明のファクシミリ装置の外部に接続された通信端末のフック状態の変化による回線電圧の変化と、上限電圧検出回路と下限電圧検出回路が出力する検出信号の論理値を示す状態遷移図である。
【図４】本発明のファクシミリ装置のフック検出について、利用者の環境に応じ電圧検出回路の検出状態を補正する動作の実施例を示すフローチャートである。
【図５】本発明のファクシミリ装置のフック検出について、利用者の環境に応じ電圧検出回路の検出状態を補正する動作の実施例を示すフローチャートである。
【符号の説明】
【００５８】
１  ダイオードブリッジ
２  絶縁部
３  上限電圧検出回路
４  下限電圧検出回路
５  制御部
６  記憶部
７  表示部
８  網制御部
９  モデム部
１０  回線電圧抽出部
１１  検出電圧制御部
１２  検出信号生成部
【図１】
2006295331.tif 000003
【図２】
2006295331.tif 000004
【図３】
2006295331.tif 000005
【図４】
2006295331.tif 000006
【図５】
2006295331.tif 000007